【手続補正書】
【提出日】平成28年3月10日(2016.3.10)
【手続補正１】
【補正対象書類名】特許請求の範囲
【補正対象項目名】全文
【補正方法】変更
【補正の内容】
【特許請求の範囲】
【請求項１】
発光手段と、
複数の色の副画素からなる画素を複数有し、前記発光手段からの光を副画素毎に設定される透過率で透過させることにより、入力される画像データに基づく画像を表示する液晶パネルと、
前記画像データに基づき、前記液晶パネルの各副画素の透過率を取得する取得手段と、
前記画像データの画素のうち画素値が所定の低階調領域の値である画素について、前記取得手段により取得されたその画素の各副画素の透過率で前記発光手段からの光が透過した場合のその画素の透過光の輝度に基づき、透過光の色と前記画像データに基づく色との差異が小さくなるように、前記取得手段により取得された各副画素の透過率を補正する補正手段と、
を備えることを特徴とする画像表示装置。
【請求項２】
前記補正手段は、前記画像データの画素のうち画素値が所定の低階調領域の値であり、かつ、前記取得手段により取得されたその画素の副画素の透過率で前記発光手段からの光が透過した場合のその画素の透過光の輝度が閾値以上である画素について、前記補正を行う請求項１に記載の画像表示装置。
【請求項３】
前記閾値は、観察者にとって明所視又は薄明視になる輝度と暗所視となる輝度との境界の輝度である請求項２に記載の画像表示装置。
【請求項４】
前記補正手段は、前記発光手段の発光量に基づいて各画素の透過光の輝度を取得する請求項１乃至請求項３のいずれか１項に記載の画像表示装置。
【請求項５】
前記発光手段は、発光量を個別に制御可能な複数の発光エリアから構成され、
前記発光手段の各発光エリアに対応する前記液晶パネルの各表示エリアに表示される画像の明るさに応じて、各発光エリアの発光量を制御する制御手段を更に備える請求項１乃至請求項４のいずれか１項に記載の画像表示装置。
【請求項６】
前記補正手段は、各画素の属する表示エリアに対応する発光エリアの発光量に基づいて各画素の透過光の輝度を取得する請求項５に記載の画像表示装置。
【請求項７】
前記補正手段は、各画素の属する表示エリアに対応する発光エリアの発光量と、当該発光エリアに隣接する発光エリアから当該発光エリアへの漏れ光の量と、に基づいて各画素の透過光の輝度を取得する請求項５に記載の画像表示装置。
【請求項８】
画素値と各副画素の透過率との対応関係の情報を記憶する記憶手段を更に備え、
前記取得手段は、前記対応関係に基づいて各副画素の透過率を取得する請求項１乃至請求項７のいずれか１項に記載の画像表示装置。
【請求項９】
前記記憶手段は、透過光の輝度に応じて複数の異なる対応関係の情報を記憶しており、
前記補正手段は、互いに異なる対応関係に基づいて各副画素の透過率を補正する請求項８に記載の画像表示装置。
【請求項１０】
前記記憶手段は、第１の対応関係の情報と第２の対応関係の情報とを記憶しており、第２の対応関係は第１の対応関係と比較して透過光の色と画素値に基づく目標色との差異が小さく、第１の対応関係は第２の対応関係と比較して透過率の階調精度が高く、
前記補正手段は、前記取得手段により取得された前記第１の対応関係に基づき設定された各副画素の透過率を前記第２の対応関係に基づき補正する請求項９に記載の画像表示装置。
【請求項１１】
前記発光手段から前記液晶パネルに照射する光、または前記発光手段から前記液晶パネルに照射し前記液晶パネルを透過する光を検出する検出手段を更に備え、
前記補正手段は、前記検出手段による検出結果に基づいて各画素の透過光の輝度を取得する請求項１乃至請求項３のいずれか１項に記載の画像表示装置。
【請求項１２】
前記補正手段は、画素からの透過光に対し液晶パネルの全画面から発せられる総光量が明るい場合、前記閾値を高くする請求項２乃至請求項１１のいずれか１項に記載の画像表示装置。
【請求項１３】
前記補正手段は、画素からの透過光に対し液晶パネルの全画面から発せられる総光量が暗い場合、前記閾値を低くする請求項２乃至請求項１２のいずれか１項に記載の画像表示装置。
【請求項１４】
前記液晶パネルの各画素は赤色の副画素、緑色の副画素、青色の副画素からなる請求項１乃至請求項１３のいずれか１項に記載の画像表示装置。
【請求項１５】
前記補正手段により補正された各副画素の透過率に基づいて、前記液晶パネルの各画素の副画素の透過率を制御する表示制御手段を備える請求項１乃至請求項１４のいずれか１項に記載の画像表示装置。
【請求項１６】
発光手段と、複数の色の副画素からなる画素を複数有し、前記発光手段からの光を副画素毎に設定される透過率で透過させることにより、入力される画像データに基づく画像を表示する液晶パネルと、を備える画像表示装置の制御方法であって、
前記画像データに基づき、前記液晶パネルの各副画素の透過率を取得する取得工程と、
前記画像データの画素のうち画素値が所定の低階調領域の値である画素について、前記取得手段により取得されたその画素の各副画素の透過率で前記光源からの光が透過した場合のその画素の透過光の輝度に基づき、透過光の色と前記画像データに基づく色との差異が小さくなるように、前記取得工程により取得された各副画素の透過率を補正する補正工程と、
を有することを特徴とする画像表示装置の制御方法。
【請求項１７】
発光手段と、
複数の色の副画素からなる画素を複数有し、前記発光手段から照射された光を副画素毎に設定される透過率で透過させることにより、入力される画像データに基づく画像を表示する液晶パネルと、
前記画像データに基づき、前記液晶パネルの各副画素の透過率を示す値を取得する取得手段と、
前記画像データが、所定の低階調領域の画素値を有する低階調画素を含む場合に、前記低階調画素に対応する前記液晶パネルの対象画素に前記発光手段から照射される光の輝度と、前記取得手段により取得された前記対象画素の各副画素の透過率を示す値とに基づき、前記取得手段により取得された前記対象画素の各副画素の透過率を示す値を補正する補正手段と、
前記表示手段の各副画素の透過率を示す値に基づいて、前記表示手段の各副画素の透過率を制御する表示制御手段と、
を備えることを特徴とする画像表示装置。
【請求項１８】
前記補正手段は、前記発光手段の発光量に基づいて前記対象画素に前記発光手段から照射される光の輝度を取得する請求項１７に記載の画像表示装置。
【請求項１９】
前記発光手段は、発光量を個別に制御可能な複数の発光エリアから構成され、
前記発光手段の各発光エリアに対応する前記液晶パネルの各表示エリアに表示される画像の明るさに応じて、各発光エリアの発光量を制御する制御手段を更に備える請求項１７または請求項１８に記載の画像表示装置。
【請求項２０】
前記補正手段は、前記低階調画素が表示される表示エリアに対応する第１発光エリアの発光量に基づいて前記対象画素に前記発光手段から照射される光の輝度を取得する請求項１９に記載の画像表示装置。
【請求項２１】
前記補正手段は、前記低階調画素が表示される表示エリアに対応する第１発光エリアの発光量と、前記第１発光エリアに隣接する第２発光エリアから第１発光エリアへの漏れ光の量と、に基づいて前記対象画素に前記発光手段から照射される光の輝度を取得する請求項１９に記載の画像表示装置。
【請求項２２】
前記発光手段から前記液晶パネルに照射する光を検出する検出手段を更に備え、
前記補正手段は、前記検出手段による検出結果に基づいて前記対象画素に前記発光手段から照射される光の輝度を取得する請求項１７乃至請求項２１のいずれか１項に記載の画像表示装置。
【請求項２３】
前記液晶パネルの各画素は赤色の副画素、緑色の副画素、青色の副画素からなる請求項１７乃至請求項２２のいずれか１項に記載の画像表示装置。
【請求項２４】
前記補正手段は、前記対象画素に前記発光手段から照射される光の輝度と、前記取得手段により取得された前記対象画素の各副画素の透過率を示す値とに基づき、前記対象画素の透過光の輝度を取得し、当該透過光の輝度に基づいて、前記取得手段により取得された前記対象画素の各副画素の透過率を示す値を補正する請求項１７乃至請求項２３のいずれか１項に記載の画像表示装置。
【請求項２５】
発光手段と、複数の色の副画素からなる画素を複数有し、前記発光手段から照射された光を副画素毎に設定される透過率で透過させることにより、入力される画像データに基づく画像を表示する液晶パネルと、を備える画像表示装置の制御方法であって、
前記画像データに基づき、前記液晶パネルの各副画素の透過率を示す値を取得する取得工程と、
前記画像データが、所定の低階調領域の画素値を有する低階調画素を含む場合に、前記低階調画素に対応する前記液晶パネルの対象画素に前記発光手段から照射される光の輝度と、前記取得工程で取得された前記対象画素の各副画素の透過率を示す値とに基づき、前記取得工程で取得された前記対象画素の各副画素の透過率を示す値を補正する補正工程と、
前記表示手段の各副画素の透過率を示す値に基づいて、前記表示手段の各副画素の透過率を制御する表示制御工程と、
を備えることを特徴とする画像表示装置の制御方法。
【手続補正２】
【補正対象書類名】明細書
【補正対象項目名】０００９
【補正方法】変更
【補正の内容】
【０００９】
本発明は、発光手段と、
複数の色の副画素からなる画素を複数有し、前記発光手段からの光を副画素毎に設定される透過率で透過させることにより、入力される画像データに基づく画像を表示する液晶パネルと、
前記画像データに基づき、前記液晶パネルの各副画素の透過率を取得する取得手段と、
前記画像データの画素のうち画素値が所定の低階調領域の値である画素について、前記取得手段により取得されたその画素の各副画素の透過率で前記発光手段からの光が透過した場合のその画素の透過光の輝度に基づき、透過光の色と前記画像データに基づく色との差異が小さくなるように、前記取得手段により取得された各副画素の透過率を補正する補正手段と、
を備えることを特徴とする画像表示装置である。
本発明は、発光手段と、
複数の色の副画素からなる画素を複数有し、前記発光手段から照射された光を副画素毎に設定される透過率で透過させることにより、入力される画像データに基づく画像を表示する液晶パネルと、
前記画像データに基づき、前記液晶パネルの各副画素の透過率を示す値を取得する取得手段と、
前記画像データが、所定の低階調領域の画素値を有する低階調画素を含む場合に、前記低階調画素に対応する前記液晶パネルの対象画素に前記発光手段から照射される光の輝度と、前記取得手段により取得された前記対象画素の各副画素の透過率を示す値とに基づき、前記取得手段により取得された前記対象画素の各副画素の透過率を示す値を補正する補正手段と、
前記表示手段の各副画素の透過率を示す値に基づいて、前記表示手段の各副画素の透過率を制御する表示制御手段と、
を備えることを特徴とする画像表示装置である。
【手続補正３】
【補正対象書類名】明細書
【補正対象項目名】００１０
【補正方法】変更
【補正の内容】
【００１０】
本発明は、発光手段と、複数の色の副画素からなる画素を複数有し、前記発光手段からの光を副画素毎に設定される透過率で透過させることにより、入力される画像データに基づく画像を表示する液晶パネルと、を備える画像表示装置の制御方法であって、
前記画像データに基づき、前記液晶パネルの各副画素の透過率を取得する取得工程と、
前記画像データの画素のうち画素値が所定の低階調領域の値である画素について、前記取得手段により取得されたその画素の各副画素の透過率で前記光源からの光が透過した場合のその画素の透過光の輝度に基づき、透過光の色と前記画像データに基づく色との差異が小さくなるように、前記取得工程により取得された各副画素の透過率を補正する補正工程と、
を有することを特徴とする画像表示装置の制御方法である。
本発明は、発光手段と、複数の色の副画素からなる画素を複数有し、前記発光手段から照射された光を副画素毎に設定される透過率で透過させることにより、入力される画像データに基づく画像を表示する液晶パネルと、を備える画像表示装置の制御方法であって、
前記画像データに基づき、前記液晶パネルの各副画素の透過率を示す値を取得する取得工程と、
前記画像データが、所定の低階調領域の画素値を有する低階調画素を含む場合に、前記低階調画素に対応する前記液晶パネルの対象画素に前記発光手段から照射される光の輝度と、前記取得工程で取得された前記対象画素の各副画素の透過率を示す値とに基づき、前記取得工程で取得された前記対象画素の各副画素の透過率を示す値を補正する補正工程と、
前記表示手段の各副画素の透過率を示す値に基づいて、前記表示手段の各副画素の透過率を制御する表示制御工程と、
を備えることを特徴とする画像表示装置の制御方法である。